(57)【要約】【課題】映像表示装置に関して体感輝度を向上させることができる映像表示技術を提供する。【解決手段】第１の画像群および前記第１の画像群と視差を有する画像群である第２の画像群とを入力する入力手段と、ユーザが装着したときに右眼及び左眼に入射する映像をそれぞれ部分マスク形態で遮ることができるマスクに信号を送信する信号送信手段と、前記信号として送信する前記マスクの動作のために固有なコードを保持するコード保持手段と、画像を表示する表示手段と、を具備し、前記コードは既定のタイミングで送信されるように設定されている映像表示装置。【選択図】  図２
2012095240.tif 000002
【特許請求の範囲】
【請求項１】
第１の画像群および前記第１の画像群と視差を有する画像群である第２の画像群とを入力する入力手段と、
ユーザが装着したときに右眼及び左眼に入射する映像をそれぞれ部分マスク形態で遮ることができるマスクに信号を送信する信号送信手段と、
前記信号として送信する前記マスクの動作のために固有なコードを保持するコード保持手段と、
画像を表示する表示手段と、を具備し、
前記コードは既定のタイミングで送信されるように設定されている映像表示装置。
【請求項２】
前記部分マスク形態は、グラデーションを用いて設定される請求項１に記載の映像表示装置。
【請求項３】
前記部分マスク形態は、明るさ情報を用いて設定される請求項１に記載の映像表示装置。
【請求項４】
第１の画像群および前記第１の画像群と視差を有する画像群である第２の画像群とを入力する入力手段と、
ユーザが装着したときに右眼及び左眼に入射する映像をそれぞれ部分マスク形態で遮ることができるマスクに信号を送信する信号送信手段と、
このマスクにと、
前記信号として送信する前記マスクの動作のために固有なコードを保持するコード保持手段と、
画像を表示する表示手段と、を具備し、
前記コードは非定期的なタイミングで送信されるように制御する映像表示システム。
【請求項５】
第１の画像群および前記第１の画像群と視差を有する画像群である第２の画像群とを入力し、これらの画像を表示し、
ユーザが装着したときに右眼及び左眼に入射する映像をそれぞれ部分マスク形態で遮ることができるマスクにこのマスクの動作のために固有なコードを既定のタイミングで送信する映像表示方法。
【発明の詳細な説明】
【技術分野】
【０００１】
本発明の実施形態は、立体視メガネ用の体感輝度・コントラスト調整機能を用いたマスクに関する。
【背景技術】
【０００２】
液晶パネルを用いたテレビジョン装置が急速に普及している。このようなテレビジョン装置について、近年特殊なメガネと、対応したテレビジョン装置を組み合わせることによって左右の視差を生み出し、３次元立体視を可能とするシステムが普及し始めている。
【０００３】
このような立体視テレビジョンシステムにおいて、最も代表的な手法として左目右目のそれぞれに専用の映像フレームを交互に表示することと、高速で切り換え可能な液晶シャッター搭載した、専用のメガネによる視界の遮断とを組み合わせて、左右それぞれに別々の映像を映りこませる手法が用いられる。
【０００４】
しかし、左右の液晶シャッターを高速で切り換えることによって映像輝度が低下してしまう。従来のテレビジョン装置では表示する映像の輝度を高く設定することによって画面輝度の向上を図ることが多いが、この方法ではダイナミックレンジが低下する、消費電力が上昇するといった問題が残る（例えば、特許文献１を参照。）。
【０００５】
他方において体感輝度を向上するとの要望があるが、かかる要望を実現するための手段は知られていない。
【先行技術文献】
【特許文献】
【０００６】
【特許文献１】特開２０１０−１１７４３７号公報
【発明の概要】
【発明が解決しようとする課題】
【０００７】
本発明は、映像表示装置に関して体感輝度を向上させることができる映像表示技術を提供することを目的とする。
【課題を解決するための手段】
【０００８】
上記課題を解決するために、実施形態の映像表示装置によれば、第１の画像群および前記第１の画像群と視差を有する画像群である第２の画像群とを入力する入力手段と、ユーザが装着したときに右眼及び左眼に入射する映像をそれぞれ部分マスク形態で遮ることができるマスクに信号を送信する信号送信手段と、前記信号として送信する前記マスクの動作のために固有なコードを保持するコード保持手段と、画像を表示する表示手段と、を具備し、前記コードは既定のタイミングで送信されるように設定されている。
【図面の簡単な説明】
【０００９】
【図１】本発明の一実施形態における立体映像表示システムの内部構成の一例を示すブロック図。
【図２】同実施形態の内部構成の他例を示すブロック図。
【図３】同実施形態のマスク例を説明するために示す簡易構成図。
【図４】同実施形態のシャッターメガネのシャッターの開閉の模式図。
【図５】同実施形態のマスクの効果例を説明するために示す説明図。
【図６】同実施形態のコードの送信タイミングを示す説明図。
【図７】実施形態のマスク８３ａの制御のフローチャート。
【図８】本発明の一実施形態における立体映像表示システムの概観の一例を示す図。
【図９】本発明の一実施形態に係わるテレビ受信装置の構成を概略的に示すブロック図。
【図１０】実施形態の補正量の通知イメージを示す構成図。
【図１１】実施形態のテレビ側補正量決定フローチャート。
【図１２】実施形態のメガネ側補正フローチャート。
【図１３】実施形態のマスク範囲制御のフローチャート。
【発明を実施するための形態】
【００１０】
以下、本発明による実施形態を図１乃至図１３を参照して説明する。
図８は本実施形態における立体映像表示システム８１の概観の一例を示す図である。図８には立体映像表示システム８１、映像表示装置８２、およびシャッターメガネ８３が示されている。
【００１１】
立体映像表示システム８１は映像表示装置８２及びシャッターメガネ８３によって構成される。ユーザはシャッターメガネ８３を装着して、映像表示装置８２に表示されている映像を見ることにより、この映像を立体映像として認識することができる。
【００１２】
人間は通常、物体を位置の異なる左目と右目とのそれぞれで見ており、この左目と右目とで見る像にはそれぞれ視差が存在する。この視差の存在する左目で見る像と右目で見る像とを脳内で合成することによって人間は見ている物体を立体として認識することができる。よって、視差を有する左目用の画像と右目用の画像とをそれぞれの目で見せることによって、ユーザに映像を立体として捉えさせることが可能となる。
【００１３】
映像表示装置８２は例えばデジタルテレビであって、互いに視差を有する左目用画像と右目用画像を交互に表示することによって、シャッターメガネ８３を装着したユーザに立体映像を表示することが可能である。また、映像表示装置８２は受信する立体映像表示用の画像信号に基づいて新たな画像を生成する機能も有している。
【００１４】
シャッターメガネ８３は左目用レンズ８４および右目用レンズ８５を有している。この左目用レンズ８４及び右目用レンズ８５にはそれぞれ遮光可能なシャッターが設けられており、映像表示装置８２から受信するシャッターの開閉信号に基づいてそれぞれのシャッターを異なるタイミングで開閉することにより、ユーザに立体映像を提供する。例えば、映像表示装置８２に左目用画像が表示されているときには、シャッターメガネ８３は映像表示装置８２からの開閉信号に基づいて右目用レンズ８５のシャッターを閉状態、左目用レンズ８４を開状態として、ユーザの左目のみに左目用画像を見せる。また右目用画像が表示されているときには左目用レンズ８４のシャッターを閉状態、右目用レンズ８５を開状態として、ユーザの右目のみに右目用画像を見せる。こうすることによってユーザは見ている画像を立体として捉えることができる。なお詳しくはシャッターメガネ８３には、後述のマスク８３ａが付帯している。
【００１５】
（放送受信装置の構成と動作）
まず、本発明の一実施形態であるテレビ受信装置を、図９を用いて説明する。
図９は、後に述べる図１と図２のシステムを適用する放送受信装置の一実施形態であるデジタル放送受信装置等のテレビ受信装置の構成の一例を示すブロック図である。
【００１６】
このテレビ受信装置は、地上アナログ放送波、並びにＢＳ、ＣＳ及び地上デジタル放送波を受信可能であり、マイクロプロセッサ１０、デジタル用チューナ１１、アナログ用チューナ１２、デジタル用復調器１３、アナログ用復調器１４及びＴＳ復号器１５を備えている。
【００１７】
ＢＳ、ＣＳ及び地上デジタル放送波は、アンテナ１で受信され、この受信信号がデジタル用チューナ１１に供給される。同様に、地上アナログ放送波は、アンテナ１で受信され、この受信信号がアナログ用チューナ１２に供給される。デジタル用チューナ１１及びアナログ用チューナ１２は、フェーズロックドループ(ＰＬＬ)方式を採用し、マイクロプロセッサ１０の制御により中心周波数及び帯域幅等の受信パラメータを指定してそれぞれ所望の放送波を選局するために用いられる。
【００１８】
デジタル用チューナ１１で選局した放送波の受信信号は、例えば日本の地上デジタル放送の場合にＯＦＤＭ(orthogonal frequency division multiplexing)方式のデジタル用復調器１３及びＴＳ復号器１５に順次供給され、これらでデジタル映像信号及び音声信号に復調及び復号される。アナログ用チューナ１２で選局された受信信号は、アナログ用復調器１４に供給され、ここでアナログ映像信号及び音声信号に復調される。
【００１９】
このテレビ受信装置は、更に、信号処理部１６、グラフィック処理部１７、ＯＳＤ(on screen display)信号生成部１８、映像処理部１９、ディスプレイ２０、音声処理部２１、スピーカー２２、操作パネル２３、赤外線送信部２４、赤外線受光部２５、フラッシュメモリ２６、ＵＳＢ(Universal Serial Bus)コネクタ２７、カードコネクタ２８、及びネットワーク通信回路２９を備える。信号処理部１６は、ＴＳ復号器１５からのデジタル映像信号及び音声信号に対して選択的に所定のデジタル信号処理を施し、それぞれグラフィック処理部１７及び音声処理部２１に出力する。また、信号処理部１６は、アナログ用復調器１４からのアナログ映像信号及び音声信号を選択的にデジタル化し、このデジタル化された映像信号及び音声信号に対して所定のデジタル信号処理を施し、それぞれグラフィック処理部１７及び音声処理部２１に出力する。
【００２０】
グラフィック処理部１７は、信号処理部１６から出力されたデジタル映像信号にＯＳＤ信号生成部１８で生成されたＯＳＤ信号を選択的に重畳して出力する。映像処理部１９は、グラフィック処理部１７から出力されたデジタル映像信号に対してディスプレイ２０に適合させる例えばサイズ調整等の変換を行う。ディスプレイ２０は、映像処理部１９から出力された映像信号に対応する映像を表示する。音声処理部２１は、信号処理部１６から出力されたデジタル音声信号をスピーカー２２に適合させる音量調整等の変換を行う。スピーカー２２は、音声処理部２１から出力された音声信号に対応する音声を再生する。
【００２１】
マイクロプロセッサ１０は、操作パネル２３からの操作情報、または図示せぬリモコンから送出され受信された操作情報を受けて、その操作内容が反映されるように各コンポーネントを制御する。ここで、操作パネル或いはキーボード２３及びリモコン２５は、ユーザーインタフェースとして機能する操作モジュールに相当している。図９に示すように、マイクロプロセッサ１０は、様々な処理及び制御を行うＣＰＵ(central processing unit）３１、このＣＰＵ３１の制御プログラム及び様々な初期データを保持するＲＯＭ(read only memory）３２、ＣＰＵ３１の入出力情報を一時的に格納する作業エリアを提供するＲＡＭ(random access memory）３３、Ｉ２Ｃバス等を介して各コンポーネントに対する設定情報及び制御情報を入出力するインタフェース３４、及び放送波やネットワーク経由で取得される時刻情報及び日付情報に従って補正される時計回路３５を含んでいる。
【００２２】
ＵＳＢコネクタ２７は、様々なＵＳＢ機器を接続するために設けられている。カードコネクタ２８は、様々なメディアカードを接続するために設けられている。また、ネットワーク通信回路２９は、インターネットに直接あるいはＬＡＮ(local area network)経由で接続されている。時刻情報を放送波から取得する場合は、アンテナ１で受信した信号から、また時刻情報等基礎データをネットワークから取得する場合は、ネットワーク通信回路２９から、それぞれマイクロプロセッサ１０に取り込まれる。
【００２３】
またＵＳＢコネクタ２７やカードコネクタ２８は、外部からＵＳＢ機器（メモリ等）やメディアカードを接続して動画、写真、音楽データを読み出すことができる。
マイクロプロセッサ１０は、ＵＳＢコネクタ２７に接続されるＵＳＢメモリやカードコネクタ２８に接続されるメディアカードにファイルとして保持される映像を取り込み、信号処理部１６、グラフィック処理部１７、及び映像処理部１９での処理を経て各映像をディスプレイ２０に表示させる制御を行えるように構成されている。
【００２４】
なお次の図１に関し、ハードディスクHに相当する部分は記載を省略しているが、上記ＵＳＢ機器として備えられていて記憶媒体を構成していてもよい。また視聴中の映像または音声はこれらに記録されたコンテンツを再生しているものであってもよい。
【００２５】
またコード保持部５、表示制御部２は、例えばマイクロプロセッサ１０のＣＰＵ３１、ＲＯＭ３２及びＲＡＭ３３、映像処理部１９を中心に構成すればよい。
（実施例）
図１は本実施形態における立体映像表示システム８１の内部機能構成の一例を示すブロック図である。
図１に示されるように、立体視TV・映像表示装置１２はチューナ１１、コード保持部５、表示制御部２、L/R開閉信号発光部４（赤外線送信部２４に相当）、及び表示部３（ディスプレイ２０に相当）を有しており、例えば送信された放送信号を受信し、ユーザに立体映像を提供することができる。
【００２６】
チューナ１１は、アンテナによって受信した放送信号をデコード処理し、映像表示装置８２内にデコードされた信号を入力する入力手段としての機能を有している。
表示制御部２はこのデコードされた信号を復調・ディジタル化して得られた画像データを表示部３に表示させる機能を有している。このとき、表示制御部２は画像データ中のそれぞれの画像の表示時間の制御を行う。一つの画像を表示する時間は、左目用および右目用それぞれの画像の撮像を行った周期の半分の時間とすることが好適である。例えば、左目用撮像および右目用撮像がそれぞれ６０分の１秒周期で連続して撮像していとすると、映像表示装置１２は１２０分の１秒毎に表示している画像を切り替えることとなる。また、表示制御部２はこの画像の切り替えに同期してシャッターメガネ８３がシャッターを開閉するように、シャッターメガネ８３の開閉に関する信号を発光タイミングとしてL/R開閉信号発光部４に対して送信する。
【００２７】
L/R開閉信号発光部４は上記のシャッターメガネ８３の開閉に関する信号を表示制御部２より受信すると、シャッターメガネ８３に対して赤外線によってシャッターへの開閉を指示する開閉信号を（コード保持部５に保持されているコードを）送信する信号送信手段としての機能を有している。本実施形態では赤外線によって開閉信号を送信すると例示するが、これに限定されず、開閉信号を送信できるのであれば他の無線による送信方式であってもよい。また、映像表示装置８２とシャッターメガネ８３が信号の送受信可能な有線ケーブルによって接続されていてもよい。
【００２８】
図１にあるようにシャッターメガネ８３は次の構成となる。受光部６はTV側からの赤外線発光信号を受信し、電気信号に変換する。デコード部７はコード保持部８のコードデータと受光部６からの電気信号を比較し、一致信号を生成する。シャッター制御部９はデコード部７からの一致信号のタイミングをもとにメガネの左/右シャッターの開閉を制御する。
【００２９】
シャッターメガネ８３はL/R開閉信号発光部４より受信する開閉信号に基づいてシャッターの開閉を行う。
表示部３に表示される表示の切り替えおよびシャッターメガネ８３の左右レンズそれぞれのシャッターの開閉の周期に関して以下で説明する。
シャッターメガネを用いた立体視テレビシステムの従来よりの例としては上記説明と重複する部分もあるが、TV側から赤外光等を送信し、メガネのシャッター開閉のタイミングを制御する方式がある。図４はシャッターメガネのシャッターの開閉を模式的に表した図である。例えば120fpsで表示するTVの場合は約8.3mS毎に左目用の画像と右目用の画像を交互に表示し、Tfrm(16.6mS=8.3+8.3)毎、左目用画像表示開始時に同期パルスを赤外線を用いてシャッターメガネに送る。シャッターメガネではこの同期パルスからLopen/Ropen信号を生成する。Lopen信号が”1”で右目のシャッターが開放し、”0”で閉じる。Ropen信号が”1”で左目のシャッターが開放し、”0”で閉じる。この様にｔｖ側の右/左目用画像の表示とシャッターメガネのシャッター開閉タイミングを合わせることで立体視を実現する。
【００３０】
図２は本実施形態における立体映像表示システム８１の内部機能構成の他例（マスク８３ａ）を示すブロック図である。図１と共通の部分は説明を省略する。
図２に示されるように、立体視TV・映像表示装置１２はチューナ１１、コード保持部５ａ、表示制御部２、マスク信号発光部４ａ（赤外線送信部２４に相当）、及び表示部３（ディスプレイ２０に相当）を有している。
【００３１】
チューナ１１は、アンテナによって受信した放送信号をデコード処理し、映像表示装置８２内にデコードされた信号を入力する入力手段としての機能を有している。
表示制御部２はこのデコードされた信号を復調・ディジタル化して得られた画像データを表示部３に表示させる機能を有している。このとき、表示制御部２は画像データ中のそれぞれの画像の表示時間の制御を行う。
【００３２】
また、表示制御部２はこの画像の切り替えに同期したシャッターメガネ８３ａの開閉に関する信号の発光タイミングで、マスク８３ａ用信号としてマスク信号発光部４ａに対してマスク情報を送信する。
【００３３】
マスク信号発光部４ａはこのマスク情報の信号を表示制御部２より受信すると、マスク８３ａに対して赤外線によってマスクを指示する信号を（コード保持部５ａに保持されているコードを）送信する信号送信手段としての機能を有している。本実施形態では赤外線によって信号を送信すると例示するが、これに限定されず、信号を送信できるのであれば他の無線による送信方式であってもよい。また、映像表示装置８２とマスク８３ａが信号の送受信可能な有線ケーブルによって接続されていてもよい。
【００３４】
図２にあるようにマスク８３ａは次の構成となる。受光部６はTV側からの赤外線発光信号を受信し、電気信号に変換する。デコード部７はコード保持部８ａのコードデータと受光部６からの電気信号を比較し、一致信号を生成する。マスク制御部９ａはデコード部７からの一致信号のタイミングをもとにマスクを制御する。
【００３５】
このマスク８３ａの使用形態を模式的に表したのが図３である。図３では既存の3Dメガネにマスク機能を持たせる方法を示している。シャッターメガネ８３（シャッターＳ）とは別に用意したマスク用の層（マスク８３ａ、マスクＭ）を別途取り付けるだけで、既存のメガネの機能をそのままに本実施形態の機能を利用することが出来る。
【００３６】
図６は、実施形態のコードの送信タイミングを示す説明図である。図６のようにコードをTfrm毎に送る。メガネ側はコードを受信したタイミングで左シャッターを開放し、所定のタイミングで左/右のシャッターを開閉する。
【００３７】
シャッター制御部９の処理のフローは次のようである。
ST1: カウンタi、左シャッター開放信号Lopen、右シャッター開放信号Ropenを0で初期化する。前述のとおり、Lopen信号が”1”で右目のシャッターが開放し、”0”で閉じる。Ropen信号が”1”で左目のシャッターが開放し、”0”で閉じる。
【００３８】
ST2: デコード部での比較の結果、自コードと一致した場合には(ST3)へ、それ以外は(ST4)の処理に移る。
ST3: カウンタiを0で初期化し、Lopen=1,Ropen=0を代入する。(この時点で左シャッター開放・右シャッター閉鎖状態になる)
ST4: カウンタiを1インクリメントする（インクリメントの単位は時間などと対応付けてもよい）。
ST5: カウンタiをTfrm/2と比較し一致しまたは超えていれば(ST6)へ、それ以外は(ST7)の処理へ進む。
ST6: Lopen=0,Ropen=1を代入する(この時点で左シャッター閉鎖・右シャッター開放状態になる)
ST7: カウンタiをTfrmと比較し一致しまたは超えていれば(ST8)へ、それ以外は(ST2)の処理に戻る。
ST8: カウンタiを0で初期化し、Lopen=1,Ropen=0を代入し(この時点で左シャッター開放・右シャッター閉鎖状態になる)、(ST2)の処理に戻る。
【００３９】
赤外線リモコン等における２値のパルス波形である信号波形のフォーマットがある。例えば電圧レベルの時間の遷移を用いている。リーダコード（Ｈ区間が4.5msec  Ｌ区間が4.5msec）に続きカスタムコード及びデータコード等がある構成となっている。
【００４０】
図７は、マスク８３ａの図示せぬマイコンによる制御のフローチャートである。マイコンは自走状態では、スリープモードからタイマーによってコード到着待ちのウェイトモードに入る。映像表示装置８２から受信する信号が後述のように適正な信号であると判断したときに制御を行う。
【００４１】
マスク８３ａにおいて、タイマーによってマイコンはコード到着待ちのウェイトモードに入り（ステップＳ７０１）、マスク信号発光部４ａから前述の赤外線信号を受光部６で受光し（ステップＳ７０２）、マイコンがリーダコードの立ち上がりエッジを検出することにより（ステップＳ７０３のＹｅｓ）、リーダコードを計測する通常モードになる（ステップＳ７０４）。受光信号のリーダコードのＨ区間及びＬ区間を計測し（ステップＳ７０５）、リーダコードが適正（Ｈ区間が4.5msec  Ｌ区間が4.5msec）である場合は（ステップＳ７０６のＹｅｓ）マイコンはリモコン信号を受信したものと判別する。この判別に引き続きカスタムコード及びデータコードをデコードするが（ステップＳ７０７）、デコードできなかった場合は（ステップＳ７０６のＮｏ）、再びマイコンをスリープモードにして終了する。なお上記ステップＳ７０３でＮｏと判定された場合も再びマイコンをスリープモードにして終了する。
【００４２】
なお、ステップＳ７０６ではリーダコードの立ち上がりエッジを検出してからクロックが安定動作するまでの時間は通常1msec程度であるため、リーダコードのＨ区間を計測するに当たっては、予めこの1msecを考慮して計測を行う。
【００４３】
次にステップＳ７０７でデコードした結果そのデータが適正なコードと判断したとき（ステップＳ７０８のＹｅｓ）、マイコンはマスク制御するが、リモコンコードでない場合は（ステップＳ７０８のＮｏ）、再びマイコンをスリープモードにして終了する。
【００４４】
本実施形態では画面の輝度を操作することなく、体感される輝度を向上させる。図５は、実施形態のマスクの効果例を説明するために示す説明図である。（ａ）はメガネ無しの場合であり、（ｂ）〜（ｆ）に通常の3Dメガネを付けた場合と、マスクつきのメガネによる視界イメージを示してある。テレビの距離、位置によってマスク範囲をメガネが自動で切り替える、または手動で切り替えることによって効果範囲が調節される。またマスク方法も透明/黒の2値で行う方法とグラデーションをかける方法が構成でき、グラデーションをかける場合にはその濃さも調節できる。
【００４５】
図１０は、実施形態の補正量の通知イメージを示す構成図である。図１０はテレビ側で検出した視聴環境の明るさを通信することでマスク範囲を調整する方法を示している。即ち、映像表示装置８２からマスクＭへ明るさ情報を表現するコードを送信する。立体映像を見ないユーザではシャッターＳがなくマスクＭのみの使用形態も有り得る。
【００４６】
図１１は、実施形態のマイクロプロセッサ１０を主体とするテレビ側補正量決定フローチャートである。次のほかにも、図１１ではテレビ側で検出したメガネまでの距離、現在時刻などを通信することでマスク量を調節する機能を備えることが出来ることが示されている。
【００４７】
ステップＳ１１：マイクロプロセッサ１０は動作開始後、メガネ（マスク８３ａ）との距離を検出する。
ステップＳ１２：明るさを検出する。
ステップＳ１３：マスクが必要か判定する。マスクをする設定になってないか、または暗い場合は不要である。
ステップＳ１４：前ステップでマスクが必要と判定された場合には、シネマモードか判定する。
ステップＳ１５：前ステップでシネマモードと判定された場合には、映像をより暗く見せたいためにマスク量を明るめに設定する。放送等サイドバイサイドの映像に対しフレームパケットの映像では倍の情報があることも含んでいる。
【００４８】
ステップＳ１６：ステップＳ１４でシネマモードでないと判定された場合には、マスク量を暗めに設定する。
ステップＳ１７：ステップＳ１３でマスクが必要でないと判定された場合には、マスクを無しに設定する。
ステップＳ１８：（出力）ステップＳ１５からステップＳ１７のいずれかの設定を表示制御部２へ出力する。
ステップＳ１９：表示制御部２はマスク信号発光部４ａを介してマスク量をメガネ（マスク８３ａ）に通知し、ステップＳ１１に戻る。
図１２は、実施形態のマスク制御部９ａを主体とするメガネ側補正フローチャートである。
ステップＳ２１：デコード部７は所定のタイミングでテレビからの情報を受信する。
ステップＳ２２：デコード部７がテレビからの情報を受信できたか、マスク制御部９ａは判定する。
ステップＳ２３：ステップＳ２１でテレビからの情報を受信できなかった場合は、マスク制御部９ａはマスク解除を設定する。テレビから目をそむけている場合などが該当する。
【００４９】
ステップＳ２４：ステップＳ２１でテレビからの情報を受信できた場合は、マスク制御部９ａはマスク範囲を決定する。
ステップＳ２５：マスク制御部９ａはマスク量を決定する。
ステップＳ２６：マスク制御部９ａはマスク適用を設定する。
ステップＳ２７：（出力）マスク制御部９ａはステップＳ２３かステップＳ２６のいずれかの設定をマスクとして出力し、ステップＳ２１に戻る。
図１３は、実施形態のマスク制御部９ａを主体とするマスク範囲制御のフローチャートである。
ステップＳ３１：メガネの視界に映る画面範囲を計測する。
ステップＳ３２：テレビが視界に入っているか判定する。
ステップＳ３３：ステップＳ３２でテレビが視界に入っていると判定された場合は、テレビの例えば左上・右下位置に応じて矩形にマスクを切り抜く。
ステップＳ３４：ステップＳ３２でテレビが視界に入っていると判定されなかった場合は、マスクを解除する。
ステップＳ３５：（出力）ステップＳ３３かステップＳ３４のいずれかの設定をマスクとして出力し、ステップＳ３１に戻る。
図１３の例ではテレビからの信号をタイミングに用いずに自走処理を行ってもよい。グラスレス３Ｄ（俗称裸眼３Ｄ）でも使用できる。
以上のように、本実施形態によれば、対となる立体視TVとマスクとで赤外線で送信するコードを共有する。
本実施例では赤外線信号を用いているが、これを電波・超音波等の無線信号と置き換えても一般性を失わないことは明らかである。またシャッターメガネでなく例えば偏光メガネとマスクを共用してもよい。
【００５０】
従来の３Ｄメガネ着用に伴う映像の暗さを改善することが出来、メガネによる映像補正が可能となり以下のような特徴がある。
（１）３Ｄ立体視メガネにマスク機能を持たせる（グラデーション/2値）
（２）モニターが見える部分以外をメガネ側でマスクする
（３）テレビ側で検出した部屋の明るさ情報をテレビ-メガネ間の同期信号に重畳し、
マスク量を自動調節する
（４）立体視メガネの視界中にテレビが映る位置を検出して自動調節する。
（５）（４）において必要ならば、立体視メガネとテレビの位置関係を検出する。
（６）補正が必要なければ通常の３Dメガネとして運用する
（７）距離が分かれば音量操作も可能となる（オプション機能）
（実施形態の効果）
本実施形態では画面の輝度を操作することなく、体感される輝度を向上させる。メガネを通した視界のうち、映像が映りこむ範囲以外をシャッターとは別に用意した液晶マスクによって暗くなるようにする。こうすることで背景に対するテレビジョン装置の輝度は相対的に高くなるため、輝度が向上したように感じることが出来る。
【００５１】
また、テレビジョン装置との距離や、テレビジョン装置から送られてくる部屋の明るさ、メガネとの距離によりマスク範囲やマスク量をある程度自動で調節することによって、効果を高めることが出来る。特にマスク範囲についてはメガネの視界中のどこにテレビがあるかによっては固定的に設定しても良いし、メガネに小型のカメラを取り付けテレビの四隅を検出する方法も使うことが出来る。また、テレビ側でユーザの位置を検出しメガネ側に通信することでマスク範囲を絞り込むことも可能である。ユーザの位置の検出は、体や顔、メガネやマスクなどを対象に行うことができる。
【００５２】
なお、この発明は上記実施形態に限定されるものではなく、この外その要旨を逸脱しない範囲で種々変形して実施することができる。マスクとメガネを一体に構成してもよい。また例えばマスクをメガネのオプションの形態とし、例えばメガネからデコード部７の出力を端子に出し、この出力をマスクは入力するようにしてマスクの構成を簡単にしてもよい。
【００５３】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００５４】
１…チューナ、２…表示制御部、３…表示部、４…L/R開閉信号発光部、４ａ…マスク信号発光部、５…コード保持部、５ａ…コード保持部、６…受光部、７…デコード部、８…コード保持部、８ａ…コード保持部、９…シャッター制御部、９ａ…マスク制御部、１０…マイクロプロセッサ、１６…信号処理部、１７…グラフィック処理部、１８…ＯＳＤ信号生成部、１９…映像処理部、２０…ディスプレイ、２３…操作パネル、２４…赤外線送信部、２５…赤外線受光部、２６…フラッシュメモリ、２７…ＵＳＢコネクタ、２８…カードコネクタ、２９…ネットワーク通信回路、８１…立体映像表示システム、８２…映像表示装置、８３…シャッターメガネ、８４…左目用レンズ、８５…右目用レンズ。
【図１】
2012095240.tif 000003
【図２】
2012095240.tif 000004
【図３】
2012095240.tif 000005
【図４】
2012095240.tif 000006
【図５】
2012095240.tif 000007
【図６】
2012095240.tif 000008
【図７】
2012095240.tif 000009
【図８】
2012095240.tif 000010
【図９】
2012095240.tif 000011
【図１０】
2012095240.tif 000012
【図１１】
2012095240.tif 000013
【図１２】
2012095240.tif 000014
【図１３】
2012095240.tif 000015